(57)【特許請求の範囲】
【請求項１】
水周り装置であって、
当該水周り装置への使用者の接近を検知する人体検知センサと、
吐水口からの吐水状態を操作するための操作部と、
前記吐水口または当該吐水口の近傍に配置され、当該吐水口へ近づいた使用者の手を検知する第２人体検知センサと、
を備えた水周り装置であって、
前記操作部は、
光を透過する部分を有し、使用者によって視認される外観を提供する板状部材と、
前記板状部材の裏面側に配置され、操作領域標識を発光させることで前記板状部材の表面側に操作領域を視認可能に表示させる発光部材と、
前記板状部材の裏面側に配置され、前記板状部材の表面側に視認可能に表示された前記操作領域への検知体の接近または接触を検知する操作検出手段と、
前記操作検出手段の検知状態に応じて前記吐水口からの吐水状態を操作する操作本体部材と、
を有しており、
前記発光部材は、前記人体検知センサが使用者を検知した時に、前記操作領域標識を発光させることで前記板状部材の表面側に前記操作領域を視認可能に表示させるようになっており、
前記発光部材が発光させる前記操作領域は、自動吐水モードと手動吐水モードとを切り替えるためのモード操作領域を含んでおり、
前記操作検出手段は、前記モード操作領域への検知体の接近または接触を検知するモード操作検出手段を含んでおり、
前記操作本体部材は、
前記モード操作検出手段の検知状態に応じて前記自動吐水モードが選択されている時には、前記第２人体検知センサによる使用者の手の検知に応じて吐水がなされるようになっており、
前記モード操作検出手段の検知状態に応じて前記手動吐水モードが選択されている時には、前記第２人体検知センサが使用者の手を検知しただけでは吐水がなされないようになっている
ことを特徴とする水周り装置。
【請求項２】
水周り装置であって、
当該水周り装置への使用者の接近を検知する人体検知センサと、
吐水口からの吐水状態を操作するための操作部と、
を備えた水周り装置であって、
前記操作部は、
光を透過する部分を有し、使用者によって視認される外観を提供する板状部材と、
前記板状部材の裏面側に配置され、操作領域標識を発光させることで前記板状部材の表面側に操作領域を視認可能に表示させる発光部材と、
前記板状部材の裏面側に配置され、前記板状部材の表面側に視認可能に表示された前記操作領域への検知体の接近または接触を検知する操作検出手段と、
前記操作検出手段の検知状態に応じて前記吐水口からの吐水状態を操作する操作本体部材と、
を有しており、
前記発光部材は、前記人体検知センサが使用者を検知した時に、前記操作領域標識を発光させることで前記板状部材の表面側に前記操作領域を視認可能に表示させるようになっており、
前記人体検知センサは、前記吐水口よりも高い位置に配置され、使用者の検知範囲として斜め前下方向に広がる２つの有効電波領域を形成しており、
前記２つの有効電波領域のうち第１有効電波領域は、第１の判定閾値に基づいて当該水周り装置へ近づいた使用者を検知する検知範囲として形成されており、
前記２つの有効電波領域のうち第２有効電波領域は、第２の判定閾値に基づいて前記吐水口へ近づいた使用者の手を検知する検知範囲として形成されており、
前記発光部材は、前記人体検知センサが前記第１有効電波領域において前記第１の判定閾値に基づいて使用者を検知した時に、前記操作領域標識を発光させることで前記板状部材の表面側に前記操作領域を視認可能に表示させるようになっており、
前記発光部材が発光させる前記操作領域は、自動吐水モードと手動吐水モードとを切り替えるためのモード操作領域を含んでおり、
前記操作検出手段は、前記モード操作領域への検知体の接近または接触を検知するモード操作検出手段を含んでおり、
前記操作本体部材は、
前記モード操作検出手段の検知状態に応じて前記自動吐水モードが選択されている時には、前記第２有効電波領域における前記第２の判定閾値に基づく前記人体検知センサによる使用者の手の検知に応じて吐水がなされるようになっており、
前記モード操作検出手段の検知状態に応じて前記手動吐水モードが選択されている時には、第２有効電波領域において第２の判定閾値に基づいて前記人体検知センサが使用者の手を検知しただけでは吐水がなされないようになっている
ことを特徴とする水周り装置。
【請求項３】
前記人体検知センサは、当該水周り装置からの使用者の離反をも検知するようになっており、
前記発光部材は、前記人体検知センサが使用者の離反を検知した時に、前記操作領域標識の発光を停止するようになっている
ことを特徴とする請求項１または２に記載の水周り装置。
【請求項４】
前記操作検出手段は、マイクロ波センサを含む
ことを特徴とする請求項１乃至３のいずれか１項に記載の水周り装置。
【請求項５】
前記操作検出手段は、静電容量センサを含む
ことを特徴とする請求項１乃至４のいずれか１項に記載の水周り装置。
【請求項６】
前記板状部材は、前記吐水口よりも上方に配置されている
ことを特徴とする請求項１乃至５のいずれか１項に記載の水周り装置。
【請求項７】
前記板状部材は、水平方向に対して０度よりも大きく９０度よりも小さい角度で傾斜している
ことを特徴とする請求項１乃至６のいずれか１項に記載の水周り装置。
【請求項８】
前記人体検知センサは、前記板状部材の裏面側に配置されたマイクロ波センサである
ことを特徴とする請求項１乃至７のいずれか１項に記載の水周り装置。
【請求項９】
前記人体検知センサが使用者を検知した時に当該水周り装置の周辺を照らす照明装置と、
前記照明装置の照明状態を操作するための照明操作部と、
を更に備え、
前記照明操作部は、
光を透過する部分を有し、使用者によって視認される外観を提供する照明操作用板状部材と、
前記照明操作用板状部材の裏面側に配置され、照明操作領域標識を発光させることで前記照明操作用板状部材の表面側に照明操作領域を視認可能に表示させる照明操作用発光部材と、
前記照明操作用板状部材の裏面側に配置され、前記照明操作用板状部材の表面側に視認可能に表示された前記照明操作領域への検知体の接近または接触を検知する照明操作検出手段と、
前記照明操作検出手段の検知状態に応じて前記照明装置の照明状態を操作する照明操作本体部材と、
を有しており、
前記照明操作用発光部材は、前記人体検知センサが使用者を検知した時に、前記照明操作領域標識を発光させることで前記照明操作用板状部材の表面側に前記照明操作領域を視認可能に表示させるようになっている
ことを特徴とする請求項１乃至８のいずれか１項に記載の水周り装置。
【発明の詳細な説明】
【技術分野】
【０００１】
本発明は、洗面化粧台やキッチンのような水周り装置に係り、特に、使用者が当該水周り装置に接近した時に「お出迎え」されたような印象を与えることができる水周り装置に関する。
【背景技術】
【０００２】
洗面化粧台のような水周り装置において、例えば使用者の指による接触を検知するタッチセンサが、各種の電気器具の動作を操作（制御）するために採用されている。例えば、洗面化粧台において鏡面の防曇のための防曇ヒータの動作がタッチセンサによって制御され得ることが、既に提案されている。そのような従来技術文献として、例えば特許文献１が挙げられる。
【０００３】
特許文献１において開示された洗面化粧台では、タッチセンサのセンサ領域（検知範囲）が鏡面に設けられていて、当該センサ領域が発光表示されるようになっている。
【０００４】
そして、特許文献１は、制御対象である電気器具の現在時点の動作状態に合わせてセンサ領域の発光状態をＯＮ・ＯＦＦすること、更には、制御対象である電気器具の動作状態に合わせてセンサ領域の発光色を変えること、をも開示している。
【先行技術文献】
【特許文献】
【０００５】
【特許文献１】特開２００４−１６４８９３号公報
【発明の概要】
【発明が解決しようとする課題】
【０００６】
特許文献１に開示された洗面化粧台は、センサ領域の表示態様にバリエーションを持たせたという点で興味深いものではあったが、センサ領域の発光状態がＯＦＦであっても（センサ領域が消灯されていても）センサ領域を視認することができる必要がある。
【０００７】
具体的には、特許文献１の段落００２５に記載されているように、「防曇ヒータ等の電気器具が動作中のときは同時にセンサ領域Ｓを発光させ、電気器具が停止中のときはセンサ領域Ｓを消灯させるようになした」場合、なるほど「使用者は、電気器具のＯＦＦ状態を一瞥するだけで容易に確認できる」という効果が得られるが、その後に電気器具をＯＮにするためには、消灯されている状態のセンサ領域Ｓを認識できる必要がある。
【０００８】
実際、特許文献１に開示された洗面化粧台は、センサ領域が鏡面に設けられているために、鏡面において銀膜が形成されていない部分が残されていたり、及び／または、鏡面の一部がブラスト加工等の粗面化処理を施されたりしていて、消灯されている状態であってもセンサ領域Ｓは容易に認識できる。
【０００９】
ところで、本件発明者は、使用者に高級感を与えられるような洗面化粧台の開発ないし実現に向けて、鋭意検討を重ねてきた。
【００１０】
使用者が接近していない状態の洗面化粧台は、例えば廊下等から遠目に見えることがある一方で、センサ領域（操作領域）を表示する必要がない。従って、そのような状態の洗面化粧台においてセンサ領域の表示が無いスッキリした外観を提供することができれば、使用者に高級感を与えることが期待できる。
【００１１】
検討の結果、使用者の接近の検知を利用してセンサ領域（操作領域）の表示を開始することが、使用者に高級感を与えるために有効であるとの結論に至った。
【００１２】
というのは、本件発明者の知見によれば、使用者の接近に伴ってセンサ領域の表示を開始すると、そのような洗面化粧台の反応がまるで使用者を「お出迎え」しているような印象を与えて、使用者が高級感を感じることが確認できたからである。
【００１３】
本発明は、以上のような知見に基づいてなされたものである。本発明の目的は、使用者に高級感を与えることが期待できる水周り装置、特には使用者を「お出迎え」しているような印象を与えることが期待できる水周り装置、提供することである。
【課題を解決するための手段】
【００１４】
本発明は、水周り装置であって、当該水周り装置の正面に立った使用者を検知する人体検知センサと、吐水口からの吐水状態を操作するための操作部と、を備えた水周り装置であって、前記操作部は、光を透過する部分を有し、使用者によって視認される外観を提供する板状部材と、前記板状部材の裏面側に配置され、操作領域標識を発光させることで前記板状部材の表面側に操作領域を視認可能に表示させる発光部材と、前記板状部材の裏面側に配置され、前記板状部材の表面側に視認可能に表示された前記操作領域への検知体の接近または接触を検知する操作検出手段と、前記操作検出手段の検知状態に応じて吐水口からの吐水状態を操作する操作本体部材と、を有しており、前記発光部材は、前記人体検知センサが当該水周り装置の正面に立った使用者の接近を検知した時に、前記操作領域標識を発光させることで前記板状部材の表面側に前記操作領域を視認可能に表示させるようになっており、前記操作本体部は、前記操作検出手段が前記板状部材の表面側に視認可能に表示された前記操作領域への検知体の接近または接触を検知した時に、前記吐水口からの吐水状態を変更するようになっており、前記人体検知センサは、前記吐水口よりも高い位置に配置されていることを特徴とする水周り装置である。
【００１５】
本発明によれば、使用者が検知されていない状態では、操作領域標識が発光されておらず板状部材の表面側に操作領域が視認可能に表示されていないので、例えば廊下等から遠目に見える際、デザイン性の高いシンプルな外観を提供することができ、使用者に高級感を与えることができる。
【００１６】
そして、本発明によれば、使用者が検知された時に、操作領域標識が発光されて板状部材の表面側に操作領域が視認可能に表示されるので、まるで使用者を「お出迎え」しているような印象を与えて、使用者に高級感を与えることができる。
【００１７】
あるいは、本発明は、水周り装置であって、当該水周り装置への使用者の接近を検知する人体検知センサと、吐水口からの吐水状態を操作するための操作部と、前記吐水口または当該吐水口の近傍に配置され、当該吐水口へ近づいた使用者の手を検知する第２人体検知センサと、を備えた水周り装置であって、前記操作部は、光を透過する部分を有し、使用者によって視認される外観を提供する板状部材と、前記板状部材の裏面側に配置され、操作領域標識を発光させることで前記板状部材の表面側に操作領域を視認可能に表示させる発光部材と、前記板状部材の裏面側に配置され、前記板状部材の表面側に視認可能に表示された前記操作領域への検知体の接近または接触を検知する操作検出手段と、前記操作検出手段の検知状態に応じて前記吐水口からの吐水状態を操作する操作本体部材と、を有しており、前記発光部材は、前記人体検知センサが使用者を検知した時に、前記操作領域標識を発光させることで前記板状部材の表面側に前記操作領域を視認可能に表示させるようになっており、前記発光部材が発光させる前記操作領域は、自動水栓モードと手動吐水モードとを切り替えるためのモード操作領域を含んでおり、前記操作検出手段は、前記モード操作領域への検知体の接近または接触を検知するモード操作検出手段を含んでおり、前記操作本体部材は、前記モード操作検出手段の検知状態に応じて前記自動水栓モードが選択されている時には、前記第２人体検知センサによる使用者の手の検知に応じて吐水がなされるようになっており、前記モード操作検出手段の検知状態に応じて前記手動吐水モードが選択されている時には、前記第２人体検知センサが使用者の手を検知しただけでは吐水がなされないようになっていることを特徴とする水周り装置である。
【００１８】
この場合、例えば水周り装置の清掃時等において、手動吐水モードを選択しておけば、清掃作業中に第２人体検知センサによって意図しない使用者の接近が検知されて不所望に（自動的に）吐水がなされてしまうことが防止できる。
【００１９】
あるいは、本発明は、水周り装置であって、当該水周り装置への使用者の接近を検知する人体検知センサと、吐水口からの吐水状態を操作するための操作部と、を備えた水周り装置であって、前記操作部は、光を透過する部分を有し、使用者によって視認される外観を提供する板状部材と、前記板状部材の裏面側に配置され、操作領域標識を発光させることで前記板状部材の表面側に操作領域を視認可能に表示させる発光部材と、前記板状部材の裏面側に配置され、前記板状部材の表面側に視認可能に表示された前記操作領域への検知体の接近または接触を検知する操作検出手段と、前記操作検出手段の検知状態に応じて前記吐水口からの吐水状態を操作する操作本体部材と、を有しており、前記発光部材は、前記人体検知センサが使用者を検知した時に、前記操作領域標識を発光させることで前記板状部材の表面側に前記操作領域を視認可能に表示させるようになっており、前記人体検知センサは、前記吐水口よりも高い位置に配置され、使用者の検知範囲として斜め前下方向に広がる２つの有効電波領域を形成しており、前記２つの有効電波領域のうち第１有効電波領域は、第１の判定閾値に基づいて当該水周り装置へ近づいた使用者を検知する検知範囲として形成されており、前記２つの有効電波領域のうち第２有効電波領域は、第２の判定閾値に基づいて前記吐水口へ近づいた使用者の手を検知する検知範囲として形成されていることが好ましい。そして、更に好ましくは、前記発光部材は、前記人体検知センサが第１有効電波領域において第１の判定閾値に基づいて使用者を検知した時に、前記操作領域標識を発光させることで前記板状部材の表面側に前記操作領域を視認可能に表示させるようになっており、前記発光部材が発光させる前記操作領域は、自動水栓モードと手動吐水モードとを切り替えるためのモード操作領域を含んでおり、前記操作検出手段は、前記モード操作領域への検知体の接近または接触を検知するモード操作検出手段を含んでおり、前記操作本体部材は、前記モード操作検出手段の検知状態に応じて前記自動水栓モードが選択されている時には、第２有効電波領域における第２の判定閾値に基づく前記人体検知センサによる使用者の手の検知に応じて吐水がなされるようになっており、前記モード操作検出手段の検知状態に応じて前記手動吐水モードが選択されている時には、第２有効電波領域において第２の判定閾値に基づいて前記人体検知センサが使用者の手を検知しただけでは吐水がなされないようになっていることを特徴とする水周り装置である。
【００２０】
この場合も、例えば水周り装置の清掃時等において、手動吐水モードを選択しておけば、清掃作業中に意図しない使用者の接近が検知されて不所望に（自動的に）吐水がなされてしまうことが防止できる。また、この場合は、単一の人体検知センサが２つの有効電波領域を形成して２タイプの接近検知センサとして機能するため、水周り装置の構成を簡素化することができる。
【００２１】
また、人体検知センサは、当該水周り装置からの使用者の離反をも検知するようになっており、発光部材は、人体検知センサが使用者の離反を検知した時に、操作領域標識の発光を停止するようになっていることが好ましい。これにより、水周り装置の状態は、使用者の接近前の状態に戻される。あるいは、操作領域の発光は、使用者の離反を検知した後、数秒間を経過してから停止されてもよい。その場合、まるで使用者を「お見送り」しているような印象を与えることができる。使用者の離反を検知してから操作領域の発光を停止するまでの時間遅れ（０を含む）について、使用者が設定できるようになっていてもよい。もっとも、少なくとも本件出願の時点では、本発明は、人体検知センサが使用者の接近を検知した後、当該使用者が離反するか否かに拘わらず、操作領域標識を所定時間に亘って継続的に発光させる、という態様を排除しない。そのような態様では、必ずしも使用者の離反を検知する必要がない。具体的には、当該所定時間の間、人体検知センサの機能を停止させておく（例えば電源を遮断してしまう）ことも可能である。
【００２２】
操作検出手段は、例えば、マイクロ波センサを含む。マイクロ波センサは、自動水栓機能のために使用者の手を検知するセンサとして実績があり、板状部材の裏側からでも使用者の指等の接近を確実に検知することができる。具体的には、使用者の指等の接近信号をノイズ信号に対して識別することが容易である。
【００２３】
あるいは、操作検出手段は、静電容量センサを含んでいてもよい。静電容量センサとは、電極に使用者の指等が接近した際に生じる静電容量の変化を検知するセンサであり、簡単な構成でありながら、使用者の指等の接近を確実に検知することができる。
【００２４】
また、板状部材は、吐水口よりも上方に配置されることが好ましい。この場合、飛散した水滴が板状部材に付着するということが生じにくいため、操作検出手段が水滴を使用者の指等と誤検知してしまうことが効果的に防止される。
【００２５】
また、板状部材は、水平方向に対して０度よりも大きく９０度よりも小さい角度で傾斜していることが好ましい。この場合、何らかの事情で飛散した水滴が板状部材に付着しても、当該水滴は傾斜に沿って流下するため、操作検出手段が水滴を使用者の指等と誤検知してしまうことが効果的に防止される。
【００２６】
なお、人体検知センサについても、例えば、板状部材の裏面側に配置されたマイクロ波センサで構成され得る。この場合、人体検知センサも水周り装置内部に隠蔽され得るため、水周り装置のデザインをさらにシンプルなものとすることができる。
【００２７】
また、水周り装置は、前記人体検知センサが使用者を検知した時に当該水周り装置の周辺を照らす照明装置と、前記照明装置の照明状態を操作するための照明操作部と、を更に備え、前記照明操作部は、光を透過する部分を有し、使用者によって視認される外観を提供する照明操作用板状部材と、前記照明操作用板状部材の裏面側に配置され、照明操作領域標識を発光させることで前記照明操作用板状部材の表面側に前記照明操作領域を視認可能に表示させる照明操作用発光部材と、前記照明操作用板状部材の裏面側に配置され、前記照明操作用板状部材の表面側に視認可能に表示された前記照明操作領域への検知体の接近または接触を検知する照明操作検出手段と、前記照明操作検出手段の検知状態に応じて前記照明装置の照明状態を操作する照明操作本体部材と、を有しており、前記照明操作用発光部材は、前記人体検知センサが使用者を検知した時に、前記照明操作領域標識を発光させることで前記照明操作用板状部材の表面側に前記照明操作領域を視認可能に表示させるようになっていることが好ましい。
【００２８】
この場合、使用者が検知されていない状態では、照明操作領域が発光しておらず板状部材の表面側に照明操作領域が視認可能に表示されていないので、例えば廊下等から遠目に見える際、デザイン性の高いシンプルな外観を提供することができ、使用者に高級感を与えることができる。また、この場合、使用者が検知された時に、照明操作領域標識が発光されて板状部材の表面側に照明操作領域が視認可能に表示されるので、まるで使用者を「お出迎え」しているような印象を与えて、使用者に高級感を与えることができる。そして、使用者は、照明操作領域に対する操作（使用者の指等の接近ないし接触）を介して、照明装置の照明状態を適宜に制御することができる。
【発明の効果】
【００２９】
本発明によれば、使用者が検知されていない状態では、操作領域標識が発光されておらず板状部材の表面側に操作領域が視認可能に表示されていないので、例えば廊下等から遠目に見える際、デザイン性の高いシンプルな外観を提供することができ、使用者に高級感を与えることができる。そして更に、本発明によれば、使用者が検知された時に、操作領域標識が発光されて板状部材の表面側に操作領域が視認可能に表示されるので、まるで使用者を「お出迎え」しているような印象を与えて、使用者に高級感を与えることができる。
【図面の簡単な説明】
【００３０】
【図１】本発明の一実施形態による洗面化粧台の概略正面図である。
【図２】使用者の接近後の図１の洗面化粧台の概略正面図である。
【図３】視認可能に表示された操作領域の拡大図である。
【図４】操作部の構成の詳細を示す概略断面図である（図３のIII−III線断面に対応している）。
【図５】照明操作部の構成の詳細の例を示す概略断面図である。
【図６】傾斜した板状部材の例を示す概略断面図である。
【図７】人体検知センサにより形成される第１有効電波領域を説明する図である。
【図８】人体検知センサにより形成される第２有効電波領域を説明する図である。
【発明を実施するための形態】
【００３１】
次に、添付図面を参照して、本発明の水周り装置の一実施形態による洗面化粧台について説明する。
【００３２】
図１は、本実施形態による洗面化粧台の使用者の接近前の概略正面図であり、図２は、図１の洗面化粧台の使用者の接近後の概略正面図である。図３は、視認可能に表示された操作領域の拡大図であり、図４は、操作部の構成の詳細を示す概略断面図である。
【００３３】
図１に示すように、本実施形態による洗面化粧台１は、正面略中央に吐水口１１が設けられており、吐水口１１の上部には、左右方向に延在する板状部材２１が設けられている。そして、板状部材２１の裏面側に、洗面化粧台１への使用者の接近を検知する人体検知センサ１２が設けられている。本実施形態では、人体検知センサ１２は、マイクロ波センサからなっている。
【００３４】
本実施形態の板状部材２１は、薄肉部においてのみ光を透過する材質からなり、薄肉部の裏面側において発光する部材については表面側から視認可能であるが、それ以外の裏面側の部材については表面側から視認できないようになっている。従って、本実施形態の人体検知センサ１２は、板状部材２１の裏面側に隠蔽されている。これにより、図１に示すように、洗面化粧台１のデザインはシンプルなものとなっている。
【００３５】
そして、本実施形態による洗面化粧台１は、人体検知センサ１２が使用者を検知した時に、吐水口１１からの吐水状態を操作するための操作部２０の操作領域が視認可能に表示されるようになっている（図２参照）。逆に言えば、人体検知センサ１２が使用者を検知する前は、吐水口１１からの吐水状態を操作するための操作部２０の操作領域は、視認可能に表示されていない（図１参照）。
【００３６】
本実施形態で表示される操作領域は、図３に拡大して示すように、自動水栓モード（ＡＵＴＯ）と手動吐水モード（ＭＡＮＵ）とを切り替えるためのモード操作領域ＭＯであり、略正方形状の領域である。
【００３７】
更に、本実施形態の洗面化粧台１では、人体検知センサ１２が使用者の接近を検知した時に、洗面化粧台１の周辺を照らす照明装置６１の照明状態を操作するための照明操作部６０の照明操作領域も視認可能に表示されるようになっている（図２参照）。逆に言えば、人体検知センサ１２が使用者の接近を検知する前は、照明装置６１の照明状態を操作するための照明操作部６０の照明操作領域は、視認可能に表示されていない（図１参照）。
【００３８】
本実施形態で表示される照明操作領域は、図３に拡大して示すように、照明装置６１のＯＮ・ＯＦＦを切り替えるための照明操作領域ＬＯであり、略正方形状の領域である。
【００３９】
続いて、図４に示すように、操作部２０は、板状部材２１と、板状部材２１の裏面側に配置されモード操作領域標識（本実施形態では略正方形状のモード操作領域ＭＯの輪郭情報）を発光させることで板状部材２１の表面側にモード操作領域ＭＯを視認可能に表示させる発光部材２２と、を有している。
【００４０】
より具体的には、本実施形態の板状部材２１は、厚み３ｍｍ程度のＡＢＳ樹脂板からなり、モード操作領域ＭＯの輪郭相当部分２１ｃが肉薄に（線幅  １ｍｍ程度、厚み  １ｍｍ程度）加工されている。そして、発光部材２２は、モード操作領域ＭＯの輪郭相当部分２１ｃに配置されたＬＥＤからなっている。このような発光部材２２が発光する時、板状部材２１の輪郭相当部分２１ｃを光が透過して、板状部材２１の表面側にモード操作領域ＭＯの輪郭が表示されることとなり、結果的にモード操作領域ＭＯが視認可能となる。
【００４１】
そして、板状部材２１の裏面側には、板状部材２１の表面側に視認可能に表示されたモード操作領域ＭＯへの検知体（通常は使用者の指）の接近または接触を検知するモード操作検出手段（操作検出手段の一例）として、静電容量センサ２３が設けられている。
【００４２】
静電容量センサ２３は、当該静電容量センサ２３の検知状態に応じて吐水口１１からの吐水状態を操作する操作本体部材２４に接続されている。具体的には、本実施の形態の操作本体部材２４は、モード操作領域ＭＯへの検知体の接近または接触の度毎に、自動水栓モード（ＡＵＴＯ）と手動吐水モード（ＭＡＮＵ）とを切り替えるよう機能するようになっている。
【００４３】
本実施形態では、図３に示すように、モード操作領域ＭＯに隣接して、「ＡＵＴＯ」の文字を表示する領域と、「ＭＡＮＵ」の文字を表示する領域と、手を模したマークを表示する領域と、が設けられている。具体的には、これらの各文字及びマークに沿っても板状部材２１が肉薄に加工されていて、また、ＬＥＤからなる発光部材が肉薄部分の裏面側に配置されていて、当該発光部材が発光することによって当該肉薄部分を介して板状部材２１の表面側において各文字及びマークが視認されるようになっている。
【００４４】
本実施形態では、「ＡＵＴＯ」の文字に対応する発光部材も「ＭＡＮＵ」の文字に対応する発光部材も手を模したマークに対応する発光部材も、モード操作領域ＭＯの輪郭相当部分に対応する発光部材２２が発光しない時には、発光しないようになっている。すなわち、人体検知センサ１２が使用者を検知する前は、「ＡＵＴＯ」の文字も「ＭＡＮＵ」の文字も手を模したマークも視認可能に表示されていない（図１参照）。
【００４５】
そして、自動水栓モード（ＡＵＴＯ）が選択されている時に、人体検知センサ１２が使用者を検知してモード操作領域ＭＯの輪郭相当部分に対応する発光部材２２が発光する時には、同時に「ＡＵＴＯ」の文字及び手を模したマークも発光するようになっている。この時、「ＭＡＮＵ」の文字は発光しないままであるか、弱い強度あるいは弱い印象の別の色で発光してもよい。逆に、手動吐水モード（ＭＡＮＵ）が選択されている時に、人体検知センサ１２が使用者を検知してモード操作領域ＭＯの輪郭相当部分に対応する発光部材２２が発光する時には、同時に、「ＭＡＮＵ」の文字及び手を模したマークも発光するようになっている。この時、「ＡＵＴＯ」の文字は発光しないままであるか、弱い強度あるいは弱い印象の別の色で発光してもよい。
【００４６】
モード操作領域ＭＯの輪郭相当部分に対応する発光部材２２が発光している間に、静電容量センサ２３がモード操作領域ＭＯへの検知体の接近または接触を検知すると、自動水栓モード（ＡＵＴＯ）と手動吐水モード（ＭＡＮＵ）との選択状態が切り替わり、これに連動して、「ＡＵＴＯ」の文字の発光状態と「ＭＡＮＵ」の文字の発光状態とが入れ替わるようになっている。
【００４７】
さて、図１に戻って、本実施の形態では、吐水口１１の根元に相当する部位に（適当な例示のつもりですが、ご確認をお願いいたします）、吐水口１１へ近づいた使用者の手を検知する第２人体検知センサ１５が設けられている。本実施形態では、第２人体検知センサ１５も、マイクロ波センサからなっている。
【００４８】
そして、本実施形態の吐水口１１は、静電容量センサ２３の検知状態に応じて自動水栓モードが選択されている場合、操作本体部材２４の制御によって、第２人体検知センサ１５が使用者の手を検知している間、あるいは、第２人体検知センサ１５が使用者の手を検知してから所定時間、自動的に吐水を行なうようになっている。
【００４９】
本実施の形態では、吐水口１１から吐水される水の水温については、公知の水温調整用レバー１７によって調製可能となっている（図１参照）。また、本実施形態の水温調整用レバー１７は、手動吐水モードが選択されている場合には、水温のみならず吐水口１１からの吐水の開閉（ＯＮ・ＯＦＦ）ないし流量をも調整できるようになっている。
【００５０】
すなわち、本実施形態の吐水口１１は、静電容量センサ２３の検知状態に応じて手動吐水モードが選択されている場合、操作本体部材２４の制御によって、第２人体検知センサ１５が使用者の手を検知しただけでは自動的に吐水を行なうことはなく、吐水には水温調整用レバー１７の手動操作を要するようになっている。
【００５１】
再び図４を参照して、板状部材２１と発光部材２２との間の間隔（ギャップ）は、スペーサ２５によって規定されている。発光部材２２が板状部材２１に対して近すぎると、発光時に発行部材２２の位置が表面側から視認される可能性があって好ましくない。例えば、ＡＢＳ樹脂製の板状部材２１の厚みが３ｍｍ、肉薄の輪郭相当部分２１ｃの厚みが１ｍｍである時、板状部材２１と発光部材２２との間の間隔は、５ｍｍ〜１５ｍｍ程度が好適である。また、スペーサ２５は光漏れ防止の機能も備えている。光を透過させたくない薄肉部へ光が漏れていかないように、光を透過させたい薄肉部の周囲に配置されている。
【００５２】
続いて、図５に示すように、照明操作部６０は、照明操作用板状部材としての板状部材２１と、板状部材２１の裏面側に配置され照明操作領域標識（本実施形態では略正方形状の照明操作領域ＬＯの輪郭情報）を発光させることで板状部材２１の表面側に照明操作領域ＬＯを視認可能に表示させる発光部材６２と、を有している。
【００５３】
より具体的には、本実施形態の板状部材２１は、照明操作領域ＬＯの輪郭相当部分２１ｄも肉薄に加工されている。そして、発光部材６２は、照明操作領域ＬＯの輪郭相当部分に配置されたＬＥＤからなっている。このような発光部材６２が発光する時、板状部材２１の輪郭相当部分２１ｄを光が透過して、板状部材２１の表面側に照明操作領域ＬＯの輪郭が表示されることとなり、結果的に照明操作領域ＬＯが視認可能となる。
【００５４】
そして、板状部材２１の裏面側には、板状部材２１の表面側に視認可能に表示された照明操作領域ＬＯへの検知体（通常は使用者の指）の接近または接触を検知する照明操作検出手段として、静電容量センサ６３が設けられている。
【００５５】
静電容量センサ６３は、当該静電容量センサ６３の検知状態に応じて照明装置６１の照明状態を操作する照明操作本体部材６４に接続されている。具体的には、本実施の形態の照明操作本体部材６４は、照明操作領域ＬＯへの検知体の接近または接触の度毎に、照明装置６１のＯＮとＯＦＦとを切り替えるよう機能するようになっている。
【００５６】
本実施形態では、図３に示すように、照明操作領域ＬＯに隣接して、「ＯＮ」の文字を表示する領域と、「ＯＦＦ」の文字を表示する領域と、電球を模したマークを表示する領域と、が設けられている。具体的には、これらの各文字及びマークに沿っても板状部材２１が肉薄に加工されていて、また、ＬＥＤからなる発光部材が肉薄部分の裏面側に配置されていて、当該発光部材が発光することによって当該肉薄部分を介して板状部材２１の表面側において各文字及びマークが視認されるようになっている。
【００５７】
本実施形態では、「ＯＮ」の文字に対応する発光部材も「ＯＦＦ」の文字に対応する発光部材も電球を模したマークに対応する発光部材も、照明操作領域ＬＯの輪郭相当部分に対応する発光部材６２が発光しない時には、発光しないようになっている。すなわち、人体検知センサ１２が使用者の接近を検知する前は、「ＯＮ」の文字も「ＯＦＦ」の文字も電球を模したマークも視認可能に表示されていない（図１参照）。
【００５８】
そして、本実施の形態では、人体検知センサ１２が使用者の接近を検知する時、照明装置６１が点灯して、照明操作領域ＬＯの輪郭相当部分に対応する発光部材６２が発光するのと同時に「ＯＮ」の文字及び電球を模したマークも発光するようになっている。この時、「ＯＦＦ」の文字は発光しないままであるか、弱い強度あるいは弱い印象の別の色で発光してもよい。
【００５９】
その後、照明操作領域ＬＯの輪郭相当部分に対応する発光部材６２が発光している間に、静電容量センサ６３が照明操作領域ＬＯへの検知体の接近または接触を検知すると、ＯＮ状態からＯＦＦ状態へと選択状態が切り替わり、これに連動して、照明装置６１のＯＮ・ＯＦＦが操作される（照明装置の点灯状態のＯＮ・ＯＦＦが切り替わる）と共に、「ＯＮ」の文字の発光状態と「ＯＦＦ」の文字の発光状態とが入れ替わるようになっている。
【００６０】
再び図５を参照して、板状部材２１と発光部材６２との間の間隔（ギャップ）は、スペーサ６５によって規定されている。発光部材６２が板状部材２１に対して近すぎると、発光時に発行部材６２の位置が視認される可能性があって好ましくない。例えば、ＡＢＳ樹脂製の板状部材２１の厚みが３ｍｍ、肉薄の輪郭相当部分２１ｄの厚みが１ｍｍである時、板状部材２１と発光部材６２との間の間隔は、５ｍｍ〜１５ｍｍ程度が好適である。また、スペーサ６５は光漏れ防止の機能も備えている。光を透過させたくない薄肉部へ光が漏れていかないように、光を透過させたい薄肉部の周囲に配置されている。
【００６１】
次に、以上のような構成からなる本実施形態の作用について説明する。
【００６２】
図１に示すように、人体検知センサ１２が使用者を検知する前は、吐水口１１からの吐水状態を操作するための操作部２０の操作領域は、視認可能に表示されていない。このために、本実施形態の洗面化粧台１は、例えば廊下等から遠目に見える際、デザイン性の高いシンプルな外観を提供することができ、使用者に高級感を与えることができる。
【００６３】
そして、本実施形態の洗面化粧台１は、人体検知センサ１２が使用者を検知した際には、図２に示すように、操作領域標識が発光されて板状部材２１の表面側に操作領域が視認可能に表示される。このような洗面化粧台１の動作は、まるで使用者を「お出迎え」しているような印象を与えて、より一層使用者に高級感を与えることができる。
【００６４】
より詳細に説明すれば、本実施形態の操作領域は、吐水口１１からの吐水状態を操作するための操作部２０の操作領域と、洗面化粧台１の周辺を照らす照明装置６１の照明状態を操作するための照明操作部６０の照明操作領域である。より具体的には、操作部２０の操作領域は、自動水栓モード（ＡＵＴＯ）と手動吐水モード（ＭＡＮＵ）とを切り替えるための略正方形状のモード操作領域ＭＯであり、照明操作部６０の照明操作領域は、照明装置６１のＯＮ・ＯＦＦを切り替えるための略正方形状の照明操作領域ＬＯである。そして、各操作領域ＭＯ、ＬＯの輪郭に対応する板状部材２１の部分２１ｃ、２１ｄが肉薄に加工されていることにより、人体検知センサ１２が使用者の接近を検知したことに応じて発光部材２２、６２が発光する時、板状部材２１の輪郭相当部分２１ｃ、２１ｄを光が透過して、板状部材２１の表面側に各操作領域ＭＯ、ＬＯの輪郭が表示されて、結果的に各操作領域ＭＯ、ＬＯが視認可能となる。
【００６５】
本実施形態では、図２に示すように、各操作領域ＭＯ、ＬＯの輪郭相当部分の発光と同時に、「ＡＵＴＯ」または「ＭＡＮＵ」の文字と（図２では「ＡＵＴＯ」の文字）、手を模したマークと、「ＯＮ」または「ＯＦＦ」の文字と（図２では「ＯＮ」の文字）、電球を模したマークと、が表示されるため、使用者を「お出迎え」しているような印象をしっかりと提供することができる。
【００６６】
本実施形態では、静電容量センサ２３が、モード操作領域ＭＯへの検知体（通常は使用者の指）の接近または接触を検知することによって、自動水栓モード（ＡＵＴＯ）と手動吐水モード（ＭＡＮＵ）とを切り替えることができる。これに伴って、「ＡＵＴＯ」の文字の発光状態と「ＭＡＮＵ」の文字の発光状態も入れ替わる。
【００６７】
そして、本実施形態の吐水口１１は、静電容量センサ２３の検知状態に応じて自動水栓モードが選択されている場合、操作本体部材２４の制御によって、第２人体検知センサ１５が使用者の手の検知している間、あるいは、第２人体検知センサ１５が使用者の手を検知してから所定時間、自動的に吐水を行なう。
【００６８】
一方、本実施形態の吐水口１１は、静電容量センサ２３の検知状態に応じて手動吐水モードが選択されている場合、操作本体部材２４の制御によって、第２人体検知センサ１５が使用者の手を検知しても自動的に吐水を行なわない（吐水には水温調整用レバー１７の手動操作を要する）。
【００６９】
また、静電容量センサ６３が、照明操作領域ＬＯへの検知体の接近または接触を検知することによって、照明装置６１のＯＮ・ＯＦＦが操作される（照明装置の点灯状態のＯＮ・ＯＦＦが切り替わる）と共に、「ＯＮ」の文字の発光状態と「ＯＦＦ」の文字の発光状態とが入れ替わる。
【００７０】
以上のように、本実施形態によれば、使用者が検知されていない状態では、操作領域ＭＯ、ＬＯに対応する操作領域標識が発光されておらず、板状部材２１の表面側に操作領域ＭＯ、ＬＯが視認可能に表示されていないので、例えば廊下等から遠目に見える際、デザイン性の高いシンプルな外観を提供することができ、使用者に高級感を与えることができる。
【００７１】
そして、本実施形態によれば、使用者の接近が検知された時に、操作領域ＭＯ、ＬＯに対応する操作領域標識が発光されて板状部材２１の表面側に操作領域ＭＯ、ＬＯが視認可能に表示されるので、まるで使用者を「お出迎え」しているような印象を与えて、使用者に高級感を与えることができる。
【００７２】
また、本実施形態の洗面化粧台１によれば、人体検知センサ１２が、板状部材２１の裏面側に配置されたマイクロ波センサで構成されていて、洗面化粧台１の内部に隠蔽されている。このことによっても、洗面化粧台１のデザインはさらにシンプルなものになっている。
【００７３】
また、本実施形態の洗面化粧台１によれば、装置の清掃時等において、手動吐水モードを選択しておくことによって、清掃作業中に第２人体検知センサ１５によって意図しない使用者の手が検知されて不所望に（自動的に）吐水がなされてしまうことが防止できる。
【００７４】
また、図１から明らかなように、本実施形態の板状部材２１は、吐水口１１よりも上方に配置されている。これにより、飛散した水滴が板状部材２１に付着するということが生じにくいため、操作検出手段である静電容量センサ２３、６３が水滴を使用者の指等と誤検知してしまうことが効果的に防止される。
【００７５】
また、本実施形態の操作検出手段ないし照明操作検出手段は、静電容量センサ２３、６３によって構成されているため、簡単な構成でありながら、使用者の指等の接近を確実に検知することができる。もっとも、操作検出手段ないし照明操作検出手段は、第２人体検知センサ１５と同様に、それぞれマイクロ波センサによって構成されてもよい。
【００７６】
なお、本実施形態において、操作部２０及び照明操作部６０の発光部材２２、６２（並びに各文字及びマークに対応する発光部材）は、人体検知センサ１２が使用者を検知しなくなった時に、発光を停止するようになっていることが好ましい。これにより、洗面化粧台１の状態は、使用者の接近前の状態（図１の状態）に戻される。
【００７７】
あるいは、操作部２０及び照明操作部６０の発光部材２２、６２（並びに各文字及びマークに対応する発光部材）は、人体検知センサ１２が使用者を検知しなくなってから所定の時間（例えば数秒間）を経過してから停止されてもよい。その場合、まるで使用者を「お見送り」しているような印象を与えることができる。接近検知が途絶えてから操作領域の発光を停止するまでの時間遅れ（０を含む）については、使用者等が設定できるようになっていることが好ましい。
【００７８】
なお、板状部材２１は、水平方向に対して０度よりも大きく９０度よりも小さい角度で傾斜していることが好ましい。このような改良例を図６に示す。図６に示すような傾斜を採用すれば、何らかの事情で飛散した水滴が板状部材２１に付着したとしても、傾斜に沿って水滴が流下するため、操作検出手段である静電容量センサ２３、６３が水滴を使用者の指等と誤検知してしまうことが効果的に防止される。
【００７９】
また、人体検知センサ１２と第２人体検知センサ１５とは、一体化することも可能である。すなわち、単一の人体検知センサ１２をして、前記実施形態の第２人体検知センサ１５の機能を果たさせるような態様も実現可能である。このような実施形態を、図７及び図８を参照して説明する。
【００８０】
この場合、例えば、人体検知センサ１２は、吐水口１１よりも高い位置に配置され、使用者の検知範囲として斜め前下方向に広がる２つの有効電波領域ＦＲ、ＳＲを形成することになる。当該２つの有効電波領域のうち第１有効電波領域ＦＲが、第１の判定閾値に基づいて洗面化粧台１へ近づいた使用者を検知する検知範囲として形成され、当該２つの有効電波領域のうち第２有効電波領域ＳＲが、第２の判定閾値に基づいて吐水口１１へ近づいた使用者の手を検知する検知範囲として形成される。
【００８１】
そして、図７に示すように、人体検知センサ１２が第１有効電波領域ＦＲにおいて第１の判定閾値に基づいて使用者を検知した時に、発光部材２２、６２は、操作領域標識（操作領域ＭＯ、ＬＯの輪郭情報）を発光させることで板状部材２１の表面側に操作領域ＭＯ、ＬＯを視認可能に表示させる。
【００８２】
そして、静電容量センサ２３の検知状態に応じて自動水栓モードが選択されている場合、操作本体部材２４の制御によって、図８に示すように、第２有効電波領域ＳＲにおける第２の判定閾値に基づく人体検知センサ１２による使用者の手の検知に応じて、当該検知が継続している間、あるいは、当該検知がなされた後の所定時間、自動的に吐水口１１から吐水が行なわれる。静電容量センサ２３の検知状態に応じて手動吐水モードが選択されている場合は、操作本体部材２４の制御によって、第２有効電波領域ＳＲにおける第２の判定閾値に基づいて人体検知センサ１２が使用者の手を検知しても、自動的には吐水は行なわれない（吐水には水温調整用レバー１７の手動操作を要する）。
【００８３】
なお、以上の実施形態では、板状部材２１が光を透過する構造として、薄肉部を形成する方法を採用しているが、本発明はそのような態様に限定されない。例えば、板状部材２１として光を透過する材料を採用した上で、光を透過させたくない領域に光不透過性の被覆材を印刷するという方法も採用可能である。
【００８４】
さらに、人体検知センサ１２についても、マイクロ波センサの他に、赤外線センサ、焦電センサ、超音波センサ等を採用することが可能である。
【符号の説明】
【００８５】
１    洗面化粧台
１１    吐水口
１２    人体検知センサ
１５    第２人体検知センサ
１７    水温調整用レバー
２０    操作部
２１    板状部材（ＡＢＳ樹脂）
２２    発光部材（ＬＥＤ）
２３    静電容量センサ（操作検出手段）
２４    操作本体部材
２５    スペーサ
ＭＯ    モード操作領域
６０    照明操作部
６１    照明装置
６２    発光部材（ＬＥＤ）
６３    静電容量センサ（照明操作検出手段）
６４    照明操作本体部材
６５    スペーサ
ＬＯ    照明操作領域
ＦＲ    第１有効電波領域
ＳＲ    第２有効電波領域
【図１】
0006805512.tif 000002
【図２】
0006805512.tif 000003
【図３】
0006805512.tif 000004
【図４】
0006805512.tif 000005
【図５】
0006805512.tif 000006
【図６】
0006805512.tif 000007
【図７】
0006805512.tif 000008
【図８】
0006805512.tif 000009